(57)【要約】  周波数分割されたペアバンドを用いて通信を行う場合であっても、無線リソースを有効に利用すること。周波数分割されたペアバンドを用いてユーザ端末と送受信を行う送受信部と、ペアバンドの少なくとも一方のバンドでＵＬ伝送及びＤＬ伝送を行うように制御する制御部と、一方のバンドにおけるＵＬ伝送及びＤＬ伝送を制御する下り制御信号を生成する生成部とを有し、制御部は、下り制御信号を一方のバンドのペアとなる他方のバンド又は他のコンポーネントキャリアから送信するように制御する。
2015174328.tif 000002
【特許請求の範囲】
【請求項１】
周波数分割されたペアバンドを用いてユーザ端末と送受信を行う送受信部と、
前記ペアバンドの少なくとも一方のバンドでＵＬ伝送及びＤＬ伝送を行うように制御する制御部と、
前記一方のバンドにおけるＵＬ伝送及びＤＬ伝送を制御する下り制御信号を生成する生成部と、を有し、
前記制御部は、前記下り制御信号を前記一方のバンドのペアとなる他方のバンド又は他のコンポーネントキャリアから送信するように制御することを特徴とする無線基地局。
【請求項２】
前記一方のバンドは既存のＦＤＤに利用されるＵＬ用バンドであり、前記他方のバンドは既存のＦＤＤに利用されるＤＬ用バンドであることを特徴とする請求項１に記載の無線基地局。
【請求項３】
前記制御部は、前記一方のバンドにおけるＵＬ伝送とＤＬ伝送を、サブフレーム単位、又はサブフレームとサブバンドを組み合わせた単位で切り替えて制御することを特徴とする請求項１又は請求項２に記載の無線基地局。
【請求項４】
前記制御部は、前記一方のバンドにおけるＵＬ伝送とＤＬ伝送を、ＴＤＤのＵＬ／ＤＬ構成に基づいて切り替えて制御することを特徴とする請求項１又は請求項２に記載の無線基地局。
【請求項５】
前記制御部は、前記他方のバンドをＤＬ伝送専用として用いることを特徴とする請求項１又は請求項２に記載の無線基地局。
【請求項６】
前記制御部は、前記一方のバンドのＤＬ伝送に用いるリソースに仮想キャリアＩＤを付与し、ユーザ端末に通知するように制御することを特徴とする請求項１に記載の無線基地局。
【請求項７】
前記送受信部は、前記一方のバンドにおいて、少なくとも特殊サブフレーム構成を用いてＤＬ信号を送信することを特徴とする請求項１に記載の無線基地局。
【請求項８】
前記送受信部は、前記一方のバンドにおいて、サブフレームの先頭から所定シンボルまでにＤＬ信号が割当てられ、且つ残りのシンボルがパンクチャされたサブフレーム構成を用いてＤＬ信号を送信することを特徴とする請求項１に記載の無線基地局。
【請求項９】
周波数分割されたペアバンドを用いて無線基地局と通信を行うユーザ端末であって、
前記ペアバンドの少なくとも一方のバンドでＵＬ伝送及びＤＬ伝送を行う送受信部と、
前記一方のバンドにおけるＵＬ伝送及びＤＬ伝送を下り制御信号に基づいて制御する制御部と、を有し、
前記送受信部は、前記下り制御信号を前記一方のバンドのペアとなる他方のバンド又は他のコンポーネントキャリアから受信することを特徴とするユーザ端末。
【請求項１０】
周波数分割されたペアバンドを用いてユーザ端末と通信を行う無線基地局の無線通信方法であって、
前記ペアバンドの少なくとも一方のバンドでＵＬ伝送及びＤＬ伝送を行うように制御する工程と、
前記一方のバンドにおけるＵＬ伝送及びＤＬ伝送を制御する下り制御信号を生成する工程と、
前記下り制御信号を前記一方のバンドのペアとなる他方のバンド又はプライマリセルから送信する工程と、を有することを特徴とする無線通信方法。
【発明の詳細な説明】
【技術分野】
【０００１】
本発明は、次世代の通信システムに適用可能な無線基地局、ユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という））も検討され、仕様化されている（Ｒｅｌ．１０／１１）。【０００３】
ＬＴＥ−Ａシステムでは、半径数キロメートル程度の広範囲のカバレッジエリアを有するマクロセル内に、半径数十メートル程度の局所的なカバレッジエリアを有するスモールセル（例えば、ピコセル、フェムトセルなど）が形成されるＨｅｔＮｅｔ（Heterogeneous  Network）が検討されている。また、ＨｅｔＮｅｔでは、マクロセル（マクロ基地局）とスモールセル（スモール基地局）間で同一周波数帯だけでなく、異なる周波数帯のキャリアを用いることも検討されている。【０００４】
また、ＬＴＥ、ＬＴＥ−Ａシステムの無線通信における複信形式として、上りリンク（ＵＬ）と下りリンク（ＤＬ）を周波数で分割する周波数分割複信（ＦＤＤ）と、上りリンクと下りリンクを時間で分割する時間分割複信（ＴＤＤ）とがある（図１Ａ参照）。ＴＤＤでは、上りリンクと下りリンクの通信に同じ周波数領域が適用され、一つの送受信ポイントから上りリンクと下りリンクが時間で切り替えられて信号の送受信が行われる。【０００５】
ＬＴＥシステムのＴＤＤにおいては、上りサブフレーム（ＵＬサブフレーム）と下りサブフレーム（ＤＬサブフレーム）間の送信比率が異なる複数のフレーム構成（DL/UL  configuration（ＤＬ／ＵＬ構成））が規定されている。具体的には、図１Ｂに示すように、ＤＬ／ＵＬ構成０〜６の７つのフレーム構成が規定されており、サブフレーム＃０と＃５は下りリンクに割当てられ、サブフレーム＃２は上りリンクに割当てられる。
【先行技術文献】
【非特許文献】
【０００６】
【非特許文献１】3GPP  TS  36.300“Evolved  UTRA  and  Evolved  UTRAN  Overall  description”
【発明の概要】
【発明が解決しようとする課題】
【０００７】
上述のＨｅｔＮｅｔでは、マクロセル内に多数のスモールセルを配置することが想定される。一般に、ＤＬのトラヒックとＵＬのトラヒックの比率は一定ではなく、時間的に、あるいは、場所的に変動する。特にホットスポットに設置されたスモールセルは、トラフィックの上下比率に偏りが発生しやすく、セル間のトラフィック量にも偏りが生じやすくなる。【０００８】
そのため、ＴＤＤを適用する場合、無線リソースの有効利用という観点では、図１に示したＵＬ／ＤＬ構成は固定されるのではなく、実際のトラヒックの変動に応じて変更することが望ましい。そこで、ＬＴＥ−Ａシステム（Ｒｅｌ．１２）以降のＴＤＤでは、送受信ポイント（無線基地局、セルであってもよい）毎にＤＬサブフレームとＵＬサブフレームの送信比率を時間領域で動的（Dynamic）又は準静的（Semi-static）に変更すること（ダイナミックＴＤＤ、又はｅＩＭＴＡとも呼ばれる）が検討されている。【０００９】
一方で、ＦＤＤを利用するセル（ＦＤＤセル）では、ＤＬ伝送用のバンドとＵＬ伝送用のバンドが周波数で分割されており、ＵＬ／ＤＬリソース比率はバンド割当てに依存した状態（固定比率）となっている。そのため、ＦＤＤのように周波数分割されたペアバンドを用いて通信を行う場合であっても、通信状況に応じて無線リソースを有効に利用することが望まれている。【００１０】
本発明はかかる点に鑑みてなされたものであり、周波数分割されたペアバンドを用いて通信を行う場合であっても、無線リソースを有効に利用することができる無線基地局、ユーザ端末及び無線通信方法を提供することを目的の一とする。
【課題を解決するための手段】
【００１１】
本発明の無線基地局の一態様は、周波数分割されたペアバンドを用いてユーザ端末と送受信を行う送受信部と、前記ペアバンドの少なくとも一方のバンドでＵＬ伝送及びＤＬ伝送を行うように制御する制御部と、前記一方のバンドにおけるＵＬ伝送及びＤＬ伝送を制御する下り制御信号を生成する生成部と、を有し、前記制御部は、前記下り制御信号を前記一方のバンドのペアとなる他方のバンド又は他のコンポーネントキャリアから送信するように制御することを特徴とする。
【発明の効果】
【００１２】
本発明によれば、周波数分割されたペアバンドを用いて通信を行う場合であっても、無線リソースを有効に利用することができる。
【図面の簡単な説明】
【００１３】
【図１】ＦＤＤとＴＤＤの構成を説明するための図である。
【図２】ＦｌｅＤ構成の一例を示す図である。
【図３】ＦｌｅＤ構成の他の一例を示す図である。
【図４】ＦｌｅＤ構成の他の一例を示す図である。
【図５】ＦｌｅＤ  ＤＬリソースに仮想キャリアＩＤを設定する構成の一例を示す図である。
【図６】ＦｌｅＤ  ＤＬリソース構成の一例を示す図である。
【図７】ＵＬサブフレームとＤＬサブフレームの信号割当ての一例を示す図である。
【図８】ＦｌｅＤ  ＤＬサブフレーム構成の一例を示す図である。
【図９】ＦｌｅＤ  ＤＬリソースに適用するＤＭ−ＲＳ構成の一例を示す図である。
【図１０】無線基地局におけるＤＬ信号キャンセラ有無に基づくＵＬ信号の送信方法の一例を示す図である。
【図１１】ＦｌｅＤ  ＤＬサブフレーム構成に基づくＳＲＳの設定方法の一例を示す図である。
【図１２】本実施の形態に係る無線通信システムの一例を示す概略図である。
【図１３】本実施の形態に係る無線基地局の全体構成の説明図である。
【図１４】本実施の形態に係る無線基地局の機能構成の説明図である。
【図１５】本実施の形態に係るユーザ端末の全体構成の説明図である。
【図１６】本実施の形態に係るユーザ端末の機能構成の説明図である。
【発明を実施するための形態】
【００１４】
ＨｅｔＮｅｔは、マクロセル（Ｍａｃｒｏ  ｃｅｌｌ）とスモールセル（Ｓｍａｌｌ  ｃｅｌｌ）との少なくとも一部が地理的に重複して配置される無線通信システムである。ＨｅｔＮｅｔは、マクロセルを形成する無線基地局（以下、マクロ基地局という）と、スモールセルを形成する無線基地局（以下、スモール基地局という）と、マクロ基地局とスモール基地局と通信するユーザ端末とを含んで構成される。
【００１５】
各スモールセルにおけるＤＬのトラヒックとＵＬのトラヒックの比率は一定ではなく、時間的に、あるいは、場所的に変動する。その結果、スモールセルにトラフィック（例えば、ＤＬトラフィック）が集中する場合が生じる。
【００１６】
このように、スモールセルにおいて一方のトラフィック（例えば、ＤＬトラフィック）が集中する場合にスループットの低下を抑制するために、ＴＤＤでは送受信ポイント毎にＤＬサブフレームとＵＬサブフレームの送信比率を動的に変更して制御する（ダイナミックＴＤＤ）。具体的には、各セルの通信状況（トラフィック状況）に応じて、上記図１ＢのＵＬ／ＤＬ構成０〜６の７つのフレーム構成を動的に変更する。例えば、ＤＬトラフィックが集中する場合には、ＤＬサブフレーム比率が高いＵＬ／ＤＬ構成（例えば、ＵＬ／ＤＬ構成５）を適用する。
【００１７】
一方で、スモールセルがＦＤＤを適用することも考えられる。しかし、ＦＤＤセルでは、ＤＬ伝送用のバンドとＵＬ伝送用のバンドが周波数で分割されており（図１Ａ参照）、ＵＬ／ＤＬリソース比率が固定比率となっている。そのため、ＦＤＤにおいてもＵＬ／ＤＬのリソース比率を時間的に動的又は準静的に切り替えて制御することが考えられるが、かかる場合どのように制御するかが問題となる。また、セル間が同期していることを前提とするＴＤＤと異なり、ＦＤＤではセル間が非同期のシナリオも含まれる。このため、ダイナミックＴＤＤのメカニズム（例えば、干渉コーディネーション）をそのまま適用しても得られる効果は限定的となる。
【００１８】
そこで、本発明者等は、周波数分割されたペアバンド（例えば、既存ＦＤＤのバンド）を用いて通信を行う場合に、ＵＬ／ＤＬ比率を適切に変更して制御する方法を検討し、本願発明を着想した。具体的には、周波数分割されたペアバンドでＵＬ／ＤＬ比率を変更する場合に、少なくとも一方のバンドを用いてＵＬ伝送及びＤＬ伝送を行うように制御すると共に、当該一方のバンドにおけるＵＬ伝送及びＤＬ伝送を制御する下り制御信号を他のバンド（例えば、ペアとなる他方のバンド又はプライマリセルを含む他のコンポーネントキャリア）から送信するように制御することを見出した。
【００１９】
例えば、既存ＦＤＤのＵＬバンドの一部を用いてＤＬ信号の送信（ＤＬ伝送）を行うと共に、既存ＦＤＤのＤＬバンドからＵＬバンドに対するスケジューリングを制御する制御信号（例えば、UL  grant、DL  assignment）を送信する。これにより、周波数分割されたペアバンドを用いて通信を行う場合であっても、無線リソースを有効に利用することができる。また、下り制御信号を他のバンドから送信することにより、ＵＬ伝送及びＤＬ伝送を行う一方のバンド（例えば、ＦＤＤのＵＬバンド）において、ＤＬ伝送の送信電力を低減する場合であっても、ユーザ端末は下り制御信号を適切に受信することができる。
【００２０】
以下に、本実施の形態について図面を参照して詳細に説明する。なお、上述したようにＨｅｔＮｅｔのスモールセルに好適に利用可能であるが、本実施の形態の適用はＨｅｔＮｅｔやスモールセルに限られない。また、以下の説明では、ＦＤＤのＵＬバンドを用いてＤＬ送信を行う形態（Ｆｌｅｘｉｂｌｅ  Ｄｕｐｌｅｘ（ＦｌｅＤ））を一例に挙げて説明するが、本実施の形態はＦＤＤのＵＬバンドを用いたＤＬ送信に限られず他のＦｌｅｘｉｂｌｅ  Ｄｕｐｌｅｘにも適用可能である。
【００２１】
（ＦｌｅＤ構成）
図２〜図４は、本実施の形態で適用可能なＦｌｅＤの構成の一例を示している。図２、３は、ＴＤＤのＵＬ／ＤＬ構成を考慮しない場合を示し、図４は、ＴＤＤのＵＬ／ＤＬ構成を利用する場合を示している。
【００２２】
図２Ａは、ＦＤＤのＵＬバンド（ＵＬキャリア）において、サブフレーム単位でＵＬ／ＤＬ構成を変更する（切り替える）場合を示している。この場合、ＵＬバンドにおけるＵＬ送信及びＤＬ送信のスケジューリング（リソース割当て）制御は、当該ＵＬバンドのペアとなるＦＤＤのＤＬバンド（ＤＬキャリア）を用いて行う。
【００２３】
例えば、無線基地局は、ＤＬバンドで送信する下り制御信号（UL  grant及び／又はDL  assignment）を用いて、ＵＬバンドのＵＬ送信とＤＬ送信のリソース割当てを動的（ダイナミック）に制御する。無線基地局は、ＵＬ  ＨＡＲＱフィードバックを、ＤＬバンドで送信するＰＨＩＣＨ（Physical  Hybrid-ARQ  Indicator  Channel）を用いて行うことができる。また、無線基地局は、ＵＬ伝送とＤＬ伝送を行うＵＬバンドのペアとなるＤＬバンドを、ＤＬ伝送専用として用いることができる。
【００２４】
ダイナミックなＵＬ／ＤＬ切り替えが不要な場合には、下り制御信号としてＰＤＣＣＨやＥＰＤＣＣＨの代わりにＲＲＣシグナリングを含む上位レイヤのシグナリングを用いてもよい。この場合、制御信号を送信するキャリアはＤｕａｌ  ｃｏｎｎｅｃｔｉｖｉｔｙのマスタ基地局（ＭｅＮＢ）でもよい。
【００２５】
また、キャリアアグリゲーション（ＣＡ：Carrier  Aggregation）を適用する場合には、プライマリセル（ＰＣｅｌｌ）を含む他のコンポーネントキャリア（ＣＣ）から送信される下り制御信号を利用して、セカンダリセルのＵＬバンドのＵＬ送信とＤＬ送信のリソース割当てを制御することができる（図２Ｂ参照）。図２Ｂでは、他のコンポーネントキャリアとしてＰＣｅｌｌ（ＰＣＣ）を利用する場合を示している。なお、ＣＡは、所定の帯域（例えば、ＬＴＥシステムのシステム帯域）を一単位とするコンポーネントキャリア（ＣＣ：Component  Carrier）を集めて広帯域化することをいう。複数のキャリアにＦｌｅＤを適用する場合、単一の制御信号で複数キャリアのＵＬ／ＤＬ切り替えを行うことにより制御のオーバーヘッドを低減してもよい。
【００２６】
また、ＦＤＤのＵＬバンド（ＵＬキャリア）において、サブバンド単位でＵＬ／ＤＬ構成を変更する構成としてもよい。例えば、図３に示すように、サブフレームとサブバンド単位を組み合わせてＵＬバンドのＵＬ／ＤＬ構成を変更してもよい。図３においても、ペアバンドのＤＬキャリアやＰＣｅｌｌからクロスキャリアで下り制御信号やＵＬ  ＨＡＲＱフィードバック（ＰＨＩＣＨ）を送信することができる。
【００２７】
また、ＵＬリソース及びＤＬリソースを同一サブフレームに割当てる場合、同一ユーザ端末に対しては同一バンド（ＵＬバンド）で同時にＵＬとＤＬのスケジューリングは行わないように制御することが好ましい。また、無線基地局は、ＵＬバンドで送信するＤＬ信号が上り受信機へ回り込むのをキャンセルするように制御することが好ましい。これにより、ＵＬバンドにおいて、ＵＬ伝送に対するＤＬ伝送の干渉の提供を低減することができる。
【００２８】
図４は、ＦＤＤのＵＬバンドにおいて、ＴＤＤのＵＬ／ＤＬ構成（例えば、Ｒｅｌ．８におけるＴＤＤのＵＬ／ＤＬ構成）を利用する場合を示している。特に、図４Ａは、ＦＤＤをスタンドアローン（Ｓｔａｎｄａｌｏｎｅ  ＦｌｅＤ）又はＰＣｅｌｌとして利用する場合を示し、図４Ｂは、ＦＤＤをＳＣｅｌｌで利用する場合を示している。
【００２９】
図４Ａでは、無線基地局は、ＵＬバンドのペアバンドであるＤＬバンドを用いて、ＵＬバンドにおけるＤＬ送信とＵＬ送信の下り制御信号（スケジューリング情報）を送信する。一方で、図４Ｂでは、無線基地局は、ＵＬバンド及びＤＬバンドを有するセルとＣＡを適用する他のセル（ＰＣｅｌｌ）を用いて、ＵＬバンドにおけるＤＬ送信とＵＬ送信の下り制御信号を送信する。いずれの場合も、ＴＤＤのＵＬ／ＤＬ構成を利用することによりＦｌｅＤキャリア内でＨＡＲＱフィードバックを行うことができる。ＴＤＤのＵＬ／ＤＬ構成の一部のみをサポートすることで、制御の簡素化を行うことも可能である。
【００３０】
このように、ＦＤＤのＵＬバンドを用いてＵＬ伝送及びＤＬ伝送を行うことにより、周波数分割されたペアバンドを用いて通信を行う場合であっても、無線リソースを有効に利用することができる。また、ＵＬバンドにおけるＵＬ伝送及びＤＬ伝送を制御する制御信号等を他のバンド（例えば、ペアとなるＤＬバンド又はＰＣｅｌｌ）から送信することにより、ユーザ端末においてＵＬ伝送及びＤＬ伝送を適切に処理することが可能となる。
【００３１】
（ＦｌｅＤキャリア設定）
上述したように、ＦｌｅＤを適用する場合、ＵＬバンドをＤＬ送信に利用することができる。このため、１ＦＤＤキャリア（ペアバンド）で通信を行う場合であっても、ＵＬバンドをＤＬ送信に用いることにより、実質的に２バンド（ＵＬバンドとＤＬバンド）をＤＬ送信に用いることとなる。一方で、無線基地局やユーザ端末は、ＵＬバンドをＤＬ送信に利用する場合、異なる２バンド（ＤＬ送信に利用するＵＬバンドとＤＬバンド）を識別してスケジューリングや再送制御（ＨＡＲＱ）等を行う必要がある。
【００３２】
そこで、本実施の形態では、ＵＬバンドのＤＬリソースに対して仮想的なキャリアＩＤ（仮想キャリアＩＤ）を付与して、仮想的なＤＬキャリア（仮想ＤＬキャリア）として制御する。仮想キャリアＩＤに関する情報は、上位レイヤシグナリング（例えば、報知やＲＲＣシグナリング等）を用いてユーザ端末に通知することができる。
【００３３】
例えば、仮想キャリアＩＤとして、ＣＡで用いられるＳＣｅｌｌインデックスを利用することができる（図５参照）。図５では、ＵＬバンドのＤＬリソースに対して、仮想キャリアＩＤとしてＣＣ＃２を割当てる場合を示している。この場合、既にセル情報（例えば、ＣＣ＃１）が割当てられているユーザ端末に対して、セル情報（例えば、ＣＣ＃２）が再度割当てられた場合であって、且つ当該セルのＤＬキャリアのペアとなるバンド（ＵＬキャリア）が存在する場合、ユーザ端末はＦｌｅＤの適用を認識することができる。
【００３４】
あるいは、仮想キャリアＩＤとして、専用のインデックスを利用してもよい。この場合、ユーザ端末は、仮想キャリアＩＤの専用インデックスを受信することによりＦｌｅＤの適用を認識することができる。
【００３５】
また、仮想ＤＬキャリアに対応するＵＬバンドは、通信形態に応じて決定することができる。例えば、１ＦＤＤキャリアのみ利用する場合、仮想ＤＬキャリアに関連付けられるキャリアは暗黙的に同一バンド（ＵＬバンド）のＵＬリソースと判断することができる。一方、ＣＡを利用する場合、上位レイヤシグナリング（ＲＲＣシグナリング等）により仮想ＤＬキャリアに対するＵＬバンドを関連付けることができる（図５参照）。
【００３６】
また、無線基地局は、仮想キャリアＩＤとしてＣＡで用いられるＳＣｅｌｌインデックスを利用する場合、ＦｌｅＤを適用したキャリア数（仮想ＤＬキャリア数）だけ、ユーザ端末に対して設定するＣＡのＤＬキャリア数を低減してもよい。
【００３７】
また、ユーザ端末がＦｌｅＤをサポートするバンドに関する情報（ユーザ能力情報（UE  Capability））を無線基地局に報告するように制御してもよい。例えば、ＣＡバンドの組み合わせを示す既存のユーザ能力情報を利用することができる。
【００３８】
具体的には、ユーザ能力情報に含まれるＣＡバンド組み合わせリストを用いることができる。ＣＡバンド組み合わせリストは、ユーザ端末がＣＡを適用するバンドを示すリストである。例えば、ユーザ端末は、ＣＡバンド組み合わせリストにおいて同一バンドを２回報告することにより、１つ目を従来のCapability、２つ目をFleD  capabilityとして利用することができる。一例として、ユーザ端末が｛ｂａｎｄ１、ｂａｎｄ１、ｂａｎｄ３｝と報告した場合、無線基地局は、ｂａｎｄ１とｂａｎｄ３とのＣＡが可能であり、且つｂａｎｄ１についてＦｌｅＤをサポートしていると判断することができる。
【００３９】
あるいは、バンド毎にＦｌｅＤのサポート有無を示すＲＦパラメータをユーザ能力情報に定義して、ユーザ端末にバンド毎のＦｌｅＤのサポート有無を通知させることもできる。
【００４０】
また、ＴＤＤ・ＦＤＤデュアルモード対応・非対応や、サポートするバンド数などの情報により、ＦｌｅＤの適用可否、適用可能なＦｌｅＤ構成等が決まってもよい。
【００４１】
また、ＦｌｅＤに係る制御を行うキャリア（マスターキャリア）は、前述の通りペアとなる他方のバンド又はプライマリセルを含む他のコンポーネントキャリアを利用することができる。かかる場合、マスターキャリアの決定法として以下の方法が考えられる。
（１）プライマリセル・マスターｅＮＢはマスターキャリアとする。
（２）予め決められた周波数帯をマスターキャリアとする。
（３）ｅＮＢからＲＲＣシグナリングや報知を含む上位レイヤシグナリングで通知する。
【００４２】
上記方法（１）及び方法（２）ではシグナリングなしにマスターキャリアを決定することができる。一方、方法（３）ではシグナリングは必要であるが特定のキャリアにＦｌｅＤ制御信号送信の負荷が偏ることを避ける事ができる。
【００４３】
（ＦｌｅＤキャリアのチャネル設計）
ＦｌｅＤキャリア（ＦＤＤのＵＬバンド）構成としては、上記図２、図３に示したように、サブフレーム単位、又はサブフレームとサブバンド単位の組み合わせでＵＬ伝送とＤＬ伝送を切り替えて制御することができる。また、上述したＦｌｅＤでは、ＤＬ信号を送信するＵＬバンドに対してペアとなるＤＬバンド又は他ＣＣのＤＬが存在する（図６Ａ参照）。
【００４４】
このため、ＦｌｅＤキャリア（ＵＬバンド）に割当てるＤＬリソース（ＦｌｅＤ  ＤＬリソース）では、必ずしも制御信号や報知情報を送信する必要がない。そのため、ＦｌｅＤキャリアに割当てるＤＬリソースでは、制御信号及び／又は報知信号の割当てを行わず、下りデータ信号と当該下りデータ信号に付随（関連）する信号を選択的に割当ててもよい。
【００４５】
例えば、ＦｌｅＤ  ＤＬリソースに対して、下り共有チャネル（ＰＤＳＣＨ）、復調用参照信号（ＤＭ−ＲＳ）、チャネル状態測定用参照信号（ＣＳＩ−ＲＳ）を割当ての最小構成とすることができる（図６Ｂ参照）。これにより、下りデータ信号（ＰＤＳＣＨ信号）の割当てを多くすることができるため、無線リソースを有効利用することができる。
【００４６】
あるいは、無線基地局は、ＵＬバンドにおける下りデータ送信に上り信号構成（例えば、上り共有チャネル（ＰＵＳＣＨ）、復調用参照信号（ＤＭ−ＲＳ）、ＳＲＳ）を用いることも可能である。
【００４７】
また、本実施の形態では、既存のユーザ端末（Legacy  UE）等を考慮して、ＦｌｅＤキャリアに割当てるチャネルや参照信号を制御してもよい。例えば、既存のユーザ端末は、サブフレームの最終シンボルにＳＲＳの割当てを行う。したがって、ＵＬバンドにＤＬリソースを割当てる場合、最終シンボルにおいて既存のユーザ端末が割当てるＳＲＳと、ＤＬリソースに割当てられるＤＬチャネルや下り参照信号（例えば、ＤＭ−ＲＳ、ＰＤＳＣＨ）との間で衝突が生じるおそれがある（図７参照）。
【００４８】
また、上記図６Ｂに示すように、ＵＬバンドに割当てるＤＬリソースにセル固有参照信号（ＣＲＳ）の割当てを行わない場合、先頭の５シンボルに渡って参照信号が配置されなくなる。これにより、チャネル推定精度が劣化するおそれがある。また、ＣＲＳ等の参照信号を用いてＡＧＣ（Automatic  Gain  Control）を行う場合、適切な設定が適用されるまでに時間を要することとなる。
【００４９】
また、ＦｌｅＤキャリア（ＵＬバンド）において、ＤＬサブフレームからＵＬサブフレームに切り替わる場合、ＤＬ／ＵＬ切り替え用のガード期間を設ける必要がある。
【００５０】
そのため、本実施の形態では、これらの点を考慮してＦｌｅＤ  ＤＬサブフレーム構成を設定することが好ましい。ここで、ＦｌｅＤ  ＤＬサブフレームは、ＵＬバンドにおいてＤＬ伝送を行う際に利用するサブフレーム構成を指す。以下に、本実施の形態で利用可能なＦｌｅＤ  ＤＬサブフレーム構成例について図８を参照して説明する。
【００５１】
＜ＦｌｅＤ  ＤＬサブフレーム構成１＞
ＦｌｅＤ  ＤＬサブフレーム構成として、ＴＤＤのＵＬ／ＤＬ構成と特殊サブフレーム構成を利用することができる。図８Ａは、ＦＤＤのＵＬバンドを用いてＤＬ送信を行う場合に、ＴＤＤにおけるＤＬサブフレームと特殊サブフレームを利用する場合を示している。特殊サブフレームは、ＵＬバンドにおいてＤＬ送信（ＤＬサブフレーム）からＵＬ送信（ＵＬサブフレーム）に切り替わる際に適用することができる。
【００５２】
この場合、無線基地局は、ＵＬ／ＤＬ構成に関する情報を上位レイヤシグナリング（例えば、ＲＲＣシグナリング等）でユーザ端末に通知することができる。あるいは、無線基地局は、ＵＬ／ＤＬ構成が変更される場合（ダイナミックＴＤＤ、ｅＩＭＴＡ）に通知する再構成（Reconfiguration）シグナリングを用いてユーザ端末にＵＬ／ＤＬ構成を通知してもよい。
【００５３】
＜ＦｌｅＤ  ＤＬサブフレーム構成２＞
また、ＦｌｅＤ  ＤＬサブフレーム構成として、特殊サブフレーム構成を利用することができる。図８Ｂは、ＦＤＤのＵＬバンドを用いてＤＬ送信を行う場合に、特殊サブフレームを利用する場合を示している。この場合、ＤＬ送信（ＤＬサブフレーム）からＵＬ送信（ＵＬサブフレーム）に切り替わる際のＤＬサブフレームに限らず、ＤＬ送信を常に特殊サブフレームを利用して行う。
【００５４】
この場合、無線基地局は、ＤＬサブフレーム又は特殊サブフレームについてユーザ端末にシグナリングする。例えば、無線基地局は、下り制御情報（ＤＣＩ）等を用いてユーザ端末に動的にシグナリングすることができる。
【００５５】
＜ＦｌｅＤ  ＤＬサブフレーム構成３＞
また、ＦｌｅＤ  ＤＬサブフレーム構成として、ＤＬサブフレームの先頭から所定のシンボル数（サンプル数）にＤＬ信号が割当てられるサブフレーム構成を用いて、ＤＬ信号を送信することができる（図８Ｃ参照）。この場合、ＤＬ送信に利用するシンボル数を１種類定義してＦｌｅＤ  ＤＬサブフレーム構成として適用してもよいし、複数種類（例えば、２種類）定義してＦｌｅＤ  ＤＬサブフレーム構成として適用してもよい。なお、図８Ｃにおいて、スモールセルの伝搬遅延の小ささを考慮し、一切ギャップを設けない構成であってもよい。
【００５６】
ＦｌｅＤ  ＤＬサブフレーム構成を複数定義する場合には、無線基地局は、下り制御情報等を用いてユーザ端末に所定のサブフレーム構成をシグナリングすることができる。例えば、２種類のＦｌｅＤ  ＤＬサブフレーム構成を定義するために、下り制御情報（DL  assignment）のＰＵＣＣＨ送信電力制御用ビットを流用することができる。ＦｌｅＤにおいて、ＰＵＣＣＨ送信電力制御はＤＬキャリアに対するDL  assignmentにより実現できるため、ＦｌｅＤキャリアでは別の用途に流用することができる。
【００５７】
また、図８Ｃに示すように、ＤＬサブフレームの先頭から所定のシンボル数（サンプル数）をＤＬ送信に利用し、残りのシンボルは信号を送信しない（Puncturing）構成とすることができる。
【００５８】
このように、無線基地局は、上記図８に示したいずれかのＦｌｅＤ  ＤＬサブフレーム構成を用いてＤＬ信号を送信することができる。また、図８において、ＵＬバンドに割当てられるＤＬリソース（ＤＬ送信用として予約された領域）は、所定の信号（チャネル）送信用に利用することができる。以下に、ＵＬバンドに割当てるＤＬリソースに割当てるチャネルや参照信号について説明する。
【００５９】
例えば、同期信号（ＰＳＳ／ＳＳＳ）、報知チャネル（ＰＢＣＨ）、セル固有参照信号（ＣＲＳ）、ＰＣＦＩＣＨ、下り制御チャネル（ＰＤＣＣＨ／ＥＰＤＣＣＨ）、ＳＩＢの一部又は全部は、ＦｌｅＤ  ＤＬリソースでの送信を行わない構成としてもよい。なお、これらの信号は、当該ＵＬバンドのペアとなるＤＬバンド又はＰＣｅｌｌから送信することができる。ただし、ＣＲＳまたは１ポートＣＲＳのような一部のＣＲＳ、あるいはＤＲＳ（Ｄｉｓｃｏｖｅｒｙ  ＲＳ）に必要な参照信号（ＣＲＳ、ＣＳＩ−ＲＳ、ＰＲＳまたはそれらの組み合わせ）を一部またはすべてのサブフレーム・シンボルで送信してもよい。例えば、サブフレームの先頭２シンボルでだけ送信するといった形態でもよい。また、ＲＲＣシグナリングなどの上位レイヤシグナリングにより報知情報の一部またはすべてが送信されてもよい。
【００６０】
また、無線基地局は、下り復調用参照信号（ＤＭ−ＲＳ）を、ＦｌｅＤ  ＤＬサブフレームで送信を行ってもよい。これにより、ユーザ端末はＦｌｅＤ  ＤＬリソースに割当てられるＰＤＳＣＨを適切に復調することが可能となる。
【００６１】
なお、既存のＤＭ−ＲＳでは、サブフレーム構成の種類（通常サブフレーム構成・特殊サブフレーム構成）に応じて複数種類のマッピング構成が定義されている（図９参照）。このため、無線基地局は、いずれか一方をＦｌｅＤ  ＤＬサブフレームで利用するように制御することができる。いずれのマッピング構成を利用するかは、固定値としてもよいし、下り制御情報や上位レイヤシグナリング（例えば、ＲＲＣシグナリング等）を用いてユーザ端末に通知してもよい。特殊サブフレーム構成のマッピングを用いた場合、先頭５シンボルにもＤＭ−ＲＳがマッピングされるため、ＰＤＣＣＨを送信しない場合の復調性能が向上することが期待される。
【００６２】
また、無線基地局は、ＦｌｅＤ  ＤＬリソース（ＦｌｅＤ  ＤＬサブフレーム）に下り共有チャネル（ＰＤＳＣＨ）の割当てを行う。この際、無線基地局は、隣接セルのＰＵＣＣＨへの干渉を考慮して、ＦｌｅＤ  ＤＬリソースに割当てるＰＤＳＣＨのリソース割当てを制御することが好ましい。例えば、ＰＵＣＣＨはシステム帯域の両端に割当てられる。このため、無線基地局は、ＦｌｅＤ  ＤＬリソースに割当てるＰＤＳＣＨがＰＵＣＣＨと重複しないように割当てる（ＰＤＳＣＨをシステム帯域の両端に割当てない）ように制御する。
【００６３】
これにより、ＵＬバンドを用いてＤＬ伝送を行う場合であっても、他セルのＰＵＣＣＨ等に及ぼす影響を低減することが可能となる。
【００６４】
（ＦｌｅＤサブフレーム構成通知）
上述したように、無線基地局は、ＵＬバンドに対するＤＬ伝送（ＤＬスケジューリング）に関する情報を、当該ＵＬバンドのペアとなるＤＬバンド又はＰＣｅｌｌを用いてユーザ端末に通知することができる。例えば、ペアとなるＤＬバンドの下り制御チャネル（ＰＤＣＣＨ／ＥＰＤＣＣＨ）を用いて動的にユーザ端末にスケジューリングを行う。
【００６５】
また、無線基地局は、下り制御チャネルでの通知に加えて、フレーム毎のＵＬ／ＤＬ構成を通知してもよい。例えば、無線基地局は、既存のダイナミックＴＤＤ（ｅＩＭＴＡ）において、ＵＬ／ＤＬ構成を通知する際に利用するシグナリング（L1  reconfiguration  signaling）を用いて、フレーム毎のＵＬ／ＤＬ構成を通知することができる。この際、ｅＩＭＴＡのシグナリングで利用するｅＩＭＴＡ  ＲＮＴＩ（Radio  Network  Temporary  Identifier）に代えて、ＦｌｅＤ用のＲＮＴＩ（ＦｌｅＤ  ＲＮＴＩ）を利用する。
【００６６】
また、ユーザ端末への動的なスケジューリングとは別に、ＵＬ／ＤＬに関する情報を明示的及び／又は暗示的に通知することにより、固定ＤＬサブフレーム及び／又は固定ＵＬサブフレームを定義してもよい。以下に、固定ＤＬサブフレーム、固定ＵＬサブフレームについて説明する。
【００６７】
＜固定ＵＬサブフレーム＞
ＦｌｅＤをサポートするユーザ端末は、無線基地局から通知される信号及び／又は所定の信号送信が設定されるサブフレームをＵＬサブフレームと判断することができる。例えば、ユーザ端末は、無線基地局からシグナリングされる固定ＵＬサブフレームに関する情報に基づいて、固定ＵＬサブフレームを特定する。固定ＵＬサブフレームに関する情報は、下り制御情報、ＲＲＣシグナリング、ＳＩＢ等で無線基地局からユーザ端末に通知することができる。なお、固定ＵＬサブフレームに関する情報は、ペアとなるＤＬバンドやＰＣｅｌｌを用いて通知することができる。予め固定ＵＬサブフレームとなるサブフレームを定めておいてもよい。
【００６８】
また、ユーザ端末は、ＰＲＡＣＨリソース及び／又はＳＲＳ送信が設定されたサブフレームを固定ＵＬサブフレームと判断して動作してもよい。
【００６９】
また、ユーザ端末は、ＦｌｅＤキャリアにおける固定ＵＬサブフレームにおいて、ＵＬ信号のダイナミックスケジューリング（ＵＬグラント）で指示されたＵＬ送信以外の他のＵＬ送信を行ってもよい。例えば、ユーザ端末は、ＰＵＳＣＨがスケジューリングされたサブフレームに加えて、固定ＵＬサブフレームにおいてもＳＲＳやＰＲＡＣＨ等を送信することができる。これにより、ＵＬバンドをＤＬ伝送に利用する場合であっても、ＰＲＡＣＨやＳＲＳの送信機会を増やすことが可能となる。
【００７０】
また、ユーザ端末は、固定ＵＬサブフレームを、ＦｌｅＤキャリアにおけるＵＬバンドでのＤＬ送信には適用しない構成（ＵＬ送信専用）とすることができる。
【００７１】
なお、ダイナミックＴＤＤ（ｅＩＭＴＡ）のＵＬ／ＤＬ構成のシグナリングを利用する場合には、上位レイヤシグナリングで通知されたＨＡＲＱリファレンスＵＬ／ＤＬ構成に基づいて、固定ＵＬサブフレームを定義することも可能である。この場合、ＦｌｅＤをサポートしないユーザ端末（レガシーＵＥ）は、ＦｌｅＤセル（ＦｌｅＤキャリア）に接続しないように制御することが好ましい。
【００７２】
ここで、ＨＡＲＱリファレンスＵＬ／ＤＬ構成とは、ＨＡＲＱのタイミングに利用されるＵＬ／ＤＬ構成を指す。ダイナミックＴＤＤでは、ＵＬ／ＤＬ構成の変更を考慮して、ＨＡＲＱのタイミングに利用するＵＬ／ＤＬ構成を実際に適用するＵＬ／ＤＬ構成とは別に設定・通知することができる。そのため、本実施の形態では、ダイナミックＴＤＤで利用するリファレンスＵＬ／ＤＬ構成を利用してＦｌｅＤキャリアのサブフレーム構成をユーザ端末に通知する。
【００７３】
＜固定ＤＬサブフレーム＞
ＦｌｅＤをサポートするユーザ端末は、無線基地局から通知される信号及び／又は所定の信号送信が設定されるサブフレームをＤＬサブフレームと判断することができる。例えば、ユーザ端末は、無線基地局からシグナリングされる固定ＤＬサブフレームに関する情報に基づいて、固定ＤＬサブフレームを特定する。固定ＤＬサブフレームに関する情報は、ＲＲＣシグナリング、ＳＩＢ等で無線基地局からユーザ端末に通知することができる。
【００７４】
また、無線基地局は、下り制御情報の割当てに利用する共通サーチスペース（Common  search  space）を用いて、固定ＤＬサブフレームをユーザ端末に通知してもよい。なお、固定ＤＬサブフレームに関する情報は、ペアバンドとなるＤＬバンドやＰＣｅｌｌを用いて通知することができる。
【００７５】
また、ユーザ端末は、ＣＳＩ−ＲＳの送信が設定されたサブフレームを固定ＤＬサブフレームと判断して動作してもよい。
【００７６】
ユーザ端末は、固定ＤＬサブフレームにおいて測定用参照信号（例えば、ＣＳＩ−ＲＳ）を受信することができる。例えば、ユーザ端末は、ＰＤＳＣＨがスケジューリングされたサブフレームに加えて、固定ＤＬサブフレームにおいてもＣＳＩ−ＲＳを受信することが可能となる。これにより、ＣＳＩ−ＲＳを用いたチャネル推定回数を増やすことが可能となる。
【００７７】
なお、ダイナミックＴＤＤ（ｅＩＭＴＡ）のＵＬ／ＤＬ構成のシグナリングを利用する場合には、上位レイヤシグナリングで通知されたＨＡＲＱリファレンスＵＬ／ＤＬ構成に基づいて、固定ＤＬサブフレームを定義することも可能である。
【００７８】
なお、ダイナミックＴＤＤ（ｅＩＭＴＡ）のＵＬ／ＤＬ構成のＬ１シグナリングを利用する場合には、ユーザ端末は、ＵＬ／ＤＬ構成で通知されたＤＬサブフレームにおいてＣＳＩ測定（CSI  measurement）を行うことも可能である。
【００７９】
（ＦｌｅＤキャリアにおけるメジャメント）
次に、ＦｌｅＤキャリア（特に、ＵＬバンドに割当てられるＤＬリソース）のメジャメントについて説明する。
【００８０】
上述したように、ＤＬ送信が設定されるＵＬキャリア（ＦｌｅＤキャリア）は、ペアとなるＤＬキャリア（ＦＤＤバンドのＤＬ）と対応づけられている。また、ＦｌｅＤキャリアにおいて下り制御情報の送受信を行わない構成とする場合には、モビリティのための測定（Measurement）は不要とすることができる。このように、ＦｌｅＤキャリアは、ペアとなるバンド（例えば、ＤＬバンド）とセットで用いられる点で、ＣＡのＳＣｅｌｌとは異なっている。
【００８１】
一方で、ＦｌｅＤキャリア（特に、ＤＬ）では、干渉低減を目的として通常（例えば、ＤＬバンドにおけるＤＬ送信）より送信電力が低く設定されることが想定される。かかる場合、ＦｌｅＤ  ＤＬリソースにおけるメジャメント結果と、ＤＬバンドにおけるメジャメント結果が大きく異なるおそれがある。例えば、ＦｌｅＤ  ＤＬキャリアにおける受信電力（ＲＳＲＰ）及び／又は受信品質（ＲＳＲＱ）がＤＬバンドより低くなるおそれがある。その結果、無線基地局は、ＦｌｅＤキャリアを適用するユーザ端末を適切に選択することが困難となる。
【００８２】
したがって、本実施の形態では、ＦｌｅＤキャリア（ＤＬ）の低送信電力を考慮して受信品質を判断することにより、適切なユーザ端末にＦｌｅＤキャリアを設定する。具体的には、以下の方法を用いてＦｌｅＤキャリア（ＤＬ）の受信品質を決定することができる。
【００８３】
＜固定ＤＬサブフレーム利用＞
無線基地局がＵＬバンドに設定される固定ＤＬサブフレームで検出／測定用信号を送信し、ユーザ端末が当該検出／測定用参照信号を用いてメジャメントを行うことができる。検出／測定用参照信号としては、ＣＲＳ又はセルの検出／測定用に利用されるDiscovery  Signal（ＤＲＳ）を利用することができる。また、検出／測定用信号の送信電力は、固定ＤＬサブフレームのＰＤＳＣＨと同一でもよいし、報知・ＲＲＣシグナリングを含む上位レイヤシグナリングで通知してもよい。
【００８４】
＜ＤＬバンドのメジャメント利用＞
また、ＤＬバンドとＦｌｅＤキャリア（ＤＬ）のそれぞれの送信電力を考慮して、ＦｌｅＤキャリア（ＤＬ）におけるメジャメント結果を判断してもよい。例えば、ユーザ端末及び／又は無線基地局は、ＤＬキャリアのＤＬ送信電力とＦｌｅＤキャリアのＤＬ送信電力の差に基づいて、ＦｌｅＤキャリアで送信されるＤＬ信号に対する各ユーザ端末のＲＳＲＰを推定し、ＦｌｅＤキャリアの適用可否を判断することができる。これにより、ＦｌｅＤキャリアのＤＬ送信による干渉を抑制すると共に、ＦｌｅＤキャリアのメジャメントを適切に行うことが可能となる。
【００８５】
＜ＳＲＳの利用＞
また、ＦｌｅＤキャリアのＤＬ送信に利用される周波数はＵＬ送信に利用される周波数と同じである。このため、ＦｌｅＤキャリア（ＵＬ）で送信される参照信号（例えば、ＳＲＳ）の測定結果に基づいて、ＦｌｅＤキャリア（ＤＬ）におけるメジャメント結果を推定してもよい。これにより、ＦｌｅＤキャリアのＤＬ送信による干渉を抑制すると共に、ＦｌｅＤキャリアのメジャメントを適切に行うことが可能となる。
【００８６】
（チャネル状態測定用参照信号）
次に、ＦｌｅＤキャリアにおけるチャネル状態測定用参照信号（ＣＳＩ−ＲＳ）の構成、送信方法について説明する。
【００８７】
本実施の形態では、無線基地局は、ＦｌｅＤ  ＤＬリソースにおいて、ＦｌｅＤ  ＤＬサブフレーム構成に関わらず測定用参照信号（例えば、ＣＳＩ−ＲＳ）を送信する構成とすることができる。なお、ＦｌｅＤ  ＤＬサブフレーム構成としては、通常（ＤＬバンド）のＤＬサブフレーム構成や、上記図８Ａ〜８Ｃに示したＦｌｅＤ  ＤＬサブフレーム構成が挙げられる。
【００８８】
また、ＣＳＩ−ＲＳのマッピング（配置位置）を、既存の配置位置から時間軸方向に数シンボル移動して（オフセットさせて）配置することも可能である。例えば、無線基地局は、ＦｌｅＤキャリア（ＵＬバンド）におけるＤＬ伝送において、測定用参照信号を既存のＤＬ伝送における配置位置から時間軸方向にシフトして送信することができる。
【００８９】
これにより、サブフレーム末尾（例えば、サブフレームの最終シンボル）におけるＣＳＩ−ＲＳとＳＲＳとの衝突を避けることができる。また、ＦｌｅＤ  ＤＬサブフレーム構成として、サブフレームの末尾にギャップを設定する場合（上記図８Ｃ参照）に、当該ギャップとＣＳＩ−ＲＳが衝突することを避けることができる。
【００９０】
なお、無線基地局は、測定用参照信号と同様に、下り共有チャネル及び／又は復調用参照信号についても、既存のＤＬ伝送における配置位置から時間軸方向にシフトして送信することができる。
【００９１】
ＣＳＩ−ＲＳをオフセットするシンボル数（オフセット値）は、固定値を定めて無線基地局及びユーザ端末間で利用することができる。あるいは、オフセット値に関する情報を無線基地局からユーザ端末に下り制御情報や上位レイヤシグナリング（例えば、ＲＲＣシグナリング）を利用して通知してもよい。
【００９２】
ユーザ端末は、ＦｌｅＤキャリアの固定ＤＬサブフレーム又はスケジューリングされたＤＬサブフレームにおいてＣＳＩのメジャメントを行う。なお、ＣＳＩとしては、周期的ＣＳＩ（Periodic  CSI）及び／又は非周期的ＣＳＩ（Aperiodic  CSI）を利用することができる。
【００９３】
また、ユーザ端末は、ＣＳＩ測定を行えなかった場合にＣＳＩ報告（ＣＳＩ  ｒｅｐｏｒｔ）を行わない（ｄｒｏｐ）か、直前の測定結果を報告するように動作してもよい。例えば、ＣＳＩ報告を行うサブフレームがＤＬサブフレーム（ＦｌｅＤ  ＤＬサブフレーム）である場合、ユーザ端末はＣＳＩ報告をドロップする。
【００９４】
あるいは、ＣＳＩ報告を行うサブフレームがＦｌｅＤによりＵＬサブフレームを含まない場合、ユーザ端末はＣＳＩ報告をドロップする。
【００９５】
（ＨＡＲＱ）
次に、ＦｌｅＤキャリアを適用する場合のＨＡＲＱについて説明する。
【００９６】
ＦｌｅＤキャリアでは、ＵＬバンドを用いてＤＬ送信を行うため、ユーザ端末のＰＵＣＣＨ送信やＰＵＳＣＨ再送のタイミングと、ＦｌｅＤキャリアにおけるＤＬ送信のタイミングが重なる場合が生じる。かかる場合、ユーザ端末の動作をどのように制御するかが問題となる。本実施の形態では、ユーザ端末動作を以下の通り制御することができる。
【００９７】
例えば、ユーザ端末は、ＰＵＣＣＨによる送達確認信号（例えば、ＡＣＫ送信）が必要なサブフレームでは、ＦｌｅＤキャリアにおけるＵＬ／ＤＬサブフレームの割当て有無に関わらず常に送信を行うように動作することができる。これにより、無線基地局は、ＦｌｅＤキャリアにおけるＵＬ／ＤＬ構成に関わらずユーザ端末からＰＵＣＣＨを受信することができる。この際、無線基地局は、ＰＤＳＣＨからの干渉を回避するように制御することが好ましい。
【００９８】
あるいは、ユーザ端末は、ＦｌｅＤキャリアにおいてＤＬサブフレームの割当てがある場合には、ＰＵＣＣＨ送信を行わない（待機又は停止する）ように動作することができる。この場合、ＵＬ／ＤＬ信号間の干渉を回避することが可能となる。
【００９９】
また、ユーザ端末は、ＰＵＳＣＨ再送が必要なサブフレームでは、ＦｌｅＤキャリアにおけるＵＬ／ＤＬサブフレームの割当て有無に関わらず常に送信を行うように動作することができる。これにより、無線基地局は、ＰＤＳＣＨとの衝突が生じない場合にはユーザ端末からＰＵＳＣＨを受信することができる。
【０１００】
あるいは、ユーザ端末は、ＦｌｅＤキャリアにおいてＤＬサブフレームの割当てがある場合には、ＰＵＳＣＨ再送を行わない（待機又は停止する）ように動作することができる。この場合、ＵＬ／ＤＬ信号間の干渉を回避することが可能となる。
【０１０１】
なお、ダイナミックＴＤＤ（ｅＩＭＴＡ）で利用するシグナリング（L1  reconfiguration  signaling）を適用する場合、ダイナミックＴＤＤのＨＡＲＱメカニズムを利用することができる。例えば、無線基地局からユーザ端末に対して、ＵＬ／ＤＬ構成とリファレンス用のＵＬ／ＤＬ構成を通知し、ユーザ端末は、ＴＤＤのＨＡＲＱタイミングと対応するＨＡＲＱリファレンス構成を適用して、ＨＡＲＱを行ってもよい。この場合、ＦｌｅＤバンドにおいてＴＤＤキャリア相当のＨＡＲＱを行うことが可能となる。
【０１０２】
（ＵＬ信号送信方法）
次に、ＦｌｅＤキャリアにおけるＵＬ信号（ＰＵＣＣＨ、ＳＲＳ）の送信方法について詳細に説明する。
＜ＰＵＣＣＨ＞
本実施の形態では、無線基地局におけるＤＬ送信信号のキャンセル機能の有無や、ＤＬリソース割当て方法に応じてＰＵＣＣＨの送信機会を制御することができる。
【０１０３】
無線基地局により送信されるＰＤＳＣＨが、当該無線基地局が受信するＰＵＣＣＨに干渉する場合がある（図１０Ａ参照）。このため、無線基地局が同一周波数においてＤＬ伝送（例えば、ＰＤＳＣＨ）とＵＬ伝送（例えば、ＰＵＣＣＨ）の同時送受信を行う場合には、ＤＬ信号のキャンセラ（キャンセル機能）が必要となる。したがって、無線基地局におけるＤＬ信号のキャンセラの有無に応じて、ＰＵＣＣＨ送信を制御することが好ましい。
【０１０４】
図１０Ｂ、１０ＣにＤＬ信号キャンセラの有無に応じたＰＵＣＣＨ送信方法の一例を示す。図１０Ｂは、無線基地局がＤＬ信号キャンセラを有している場合を示し、図１０Ｃは、無線基地局がＤＬ信号キャンセラを有していない場合を示している。なお、キャンセルすべきＤＬ信号は無線基地局が送信した信号であるため、ＤＬ信号キャンセラとしては、送信ＤＬ信号のレプリカを用いたキャンセラを利用することができる。
【０１０５】
無線基地局がＤＬ信号キャンセラを有している場合（図１０Ｂ参照）、無線基地局は、当該無線基地局が送信したＤＬ信号（例えば、ＰＤＳＣＨ信号）の回りこみをキャンセルすることができる。このため、ＵＬバンドでＤＬ伝送が行われるサブフレーム（ＦｌｅＤ  ＤＬサブフレーム）において、ユーザ端末がＰＵＣＣＨを送信する構成とすることができる。
【０１０６】
一方で、無線基地局がＤＬ信号キャンセラを有していない場合（図１０Ｃ参照）、無線基地局は、当該無線基地局が送信したＰＤＳＣＨの回り込みをキャンセルできない。この場合、ユーザ端末がＦｌｅＤ  ＤＬサブフレームでＰＵＣＣＨを送信しても、無線基地局が正しく受信できない可能性が高い。このため、無線基地局がＤＬ信号キャンセラを有していない場合には、ユーザ端末は、ＦｌｅＤ  ＤＬサブフレームにおいてＰＵＣＣＨを送信しない構成とすることができる。
【０１０７】
そのため、無線基地局がＤＬ信号キャンセラを有していない場合、ＦｌｅＤキャリアにおけるＰＵＣＣＨ送信可能なサブフレームを、ＵＬサブフレームに限定することができる。あるいは、無線基地局からユーザ端末にＰＵＣＣＨ送信可能なサブフレームに関する情報（リスト）を通知してもよい。なお、ＰＵＣＣＨ送信可能なサブフレーム情報（リスト）については、下り制御情報や上位レイヤシグナリング（例えば、ＲＲＣシグナリング等）を利用してユーザ端末に通知することができる。
【０１０８】
なお、図１０Ｂ、１０Ｃでは、自セルや隣接セルのＰＵＣＣＨへの干渉を抑制するために、無線基地局は、ＦｌｅＤ  ＤＬサブフレームのシステム帯域の端部（ＰＵＣＣＨが送信される帯域）におけるＰＤＳＣＨの割当てを行わない（無送信）としている。
【０１０９】
上述したように、無線基地局のＤＬ信号のキャンセラの有無に応じてＦｌｅＤキャリアにおけるＰＵＣＣＨ信号の送信を制御することにより、ＰＵＣＣＨ信号の送受信を適切に行うことが可能となる。
【０１１０】
＜ＳＲＳ＞
上述したように、ユーザ端末は、ＦｌｅＤキャリアにおいてＳＲＳが設定（Configure）されたサブフレームはＵＬサブフレームであると仮定してＳＲＳを送信することができる。この際、ユーザ端末は、上述したＦｌｅＤ  ＤＬサブフレーム構成（上記図８Ａ〜８Ｃ参照）に応じて、ＳＲＳの送信を制御する。
【０１１１】
例えば、ＦｌｅＤ  ＤＬサブフレーム構成１（上記図８Ａ参照）が適用される場合、ＵＬサブフレームに加えて、ＵＬ送信が含まれる特殊サブフレームにおいてもＳＲＳを設定することが可能となる。
【０１１２】
また、ＦｌｅＤ  ＤＬサブフレーム構成２（上記図８Ｂ参照）が適用される場合、ＦｌｅＤ  ＤＬサブフレームとして、ＵＬ送信が含まれる特殊サブフレームが利用される。このため、ユーザ端末は、全てのサブフレームに対してＳＲＳ送信を設定することが可能となる（図１１Ａ参照）。
【０１１３】
また、ＦｌｅＤ  ＤＬサブフレーム構成３（上記図８Ｃ参照）が適用される場合、ＦｌｅＤ  ＤＬサブフレームとして、サブフレーム後半部分がＤＬ送信を行わない（パンクチャされる）サブフレームが利用される。このため、ユーザ端末は、ＦｌｅＤキャリア（ＤＬ）の同一サブフレームにＳＲＳ送信を設定することが可能となる（図１１Ｂ参照）。図１１Ｂでは、ＦｌｅＤ  ＤＬサブフレームにおいて、ユーザ端末Ａ（ＵＥ  Ａ）がＳＲＳを設定し、ユーザ端末Ｂ（ＵＥ  Ｂ）がＤＬ伝送を行う場合を示している。
【０１１４】
このように、ＦｌｅＤ  ＤＬサブフレーム構成３では、ＦｌｅＤ  ＤＬサブフレームにおいて、サブフレームの先頭から所定シンボル数でＰＤＳＣＨやＣＳＩ−ＲＳ等を送信するユーザ端末（ＵＥ  Ｂ）と、サブフレームの後半（例えば、最終シンボル）でＳＲＳを送信するユーザ端末（ＵＥ  Ａ）を混在させることが可能となる。
【０１１５】
＜後方互換性＞
また、本実施の形態では、ＦｌｅＤをサポートしないユーザ端末を考慮（後方互換性を確保）した無線通信方法を適用することも可能である。
【０１１６】
＜ＳＲＳ＞
例えば、ＳＲＳ送信について、上述したＦｌｅＤ  ＤＬサブフレーム構成（上記図８参照）を利用することにより、セル内で既存ユーザ端末（Legacy  UE）が送信するＳＲＳと、ＦｌｅＤサポートユーザ端末が送信するＤＬ信号の衝突を回避することができる。また、ＦｌｅＤサポートユーザ端末（例えば、Ｒｅｌ．１３ＵＥ）は、ＳＲＳが送信されたリソースでは、ＣＳＩ−ＲＳが送信されないと仮定してＣＳＩ測定をスキップしてもよい。
【０１１７】
＜ＰＲＡＣＨ＞
既存ユーザ端末は、ＦＤＤ用のＰＲＡＣＨ構成に基づいてＰＲＡＣＨの送信を行う。そのため、無線基地局は、ＲＡＣＨリソースが存在するＦｌｅＤサブフレームに対してＤＬ送信のスケジューリングを行わないように制御する。これにより、既存ユーザ端末がＵＬバンド（ＦｌｅＤバンド）を利用してＲＡＣＨ送信を優先して行う場合であってもＦｌｅＤバンドにおける衝突を回避することができる。また、ＦｌｅＤサポートユーザ端末（例えば、Ｒｅｌ．１３以降のＵＥ）は、当該リソースでは、ＣＳＩ−ＲＳが送信されないと仮定してＣＳＩ測定をスキップしてもよい。
【０１１８】
＜ＰＵＣＣＨ＞
無線基地局が既存ユーザ端末に対するＵＬスケジューリングを制御することにより、既存ユーザ端末のＰＵＣＣＨを保護することができる。例えば、既存ユーザ端末に対して、ＦｌｅＤサブフレームの中で特定のサブフレームでのみスケジューリングすることにより、ＰＵＣＣＨを送信するサブフレームを限定する。一方で、ＦｌｅＤキャリアにおいて、当該特定のサブフレーム以外のサブフレームをＤＬとしてシグナリングすることができる。
【０１１９】
また、無線基地局がＰＵＣＣＨ受信とＤＬ送信を同時に制御してもよい。この場合、上述したように無線基地局にキャンセラ機能を設けることにより（上記図１０Ｂ参照）、ＤＬ信号の回りこみを抑制し、ＰＵＣＣＨを適切に受信することが可能となる。また、ＦｌｅＤ  ＤＬサブフレームにガードバンドを設定することによりＰＵＣＣＨを保護してもよい。
【０１２０】
（無線通信システムの構成）
以下、本実施の形態に係る無線通信システムについて、詳細に説明する。
【０１２１】
図１２は、本実施の形態に係る無線通信システムの概略構成図である。なお、図１２に示す無線通信システムは、例えば、ＬＴＥシステム或いは、ＳＵＰＥＲ  ３Ｇが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）を適用することができる。また、この無線通信システムは、ＩＭＴ−Ａｄｖａｎｃｅｄと呼ばれても良いし、４Ｇ、ＦＲＡ（Future  Radio  Access）と呼ばれても良い。
【０１２２】
図１２に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。ユーザ端末２０は、無線基地局１１及び無線基地局１２の双方に接続することができる。この場合、ユーザ端末２０は、異なる周波数を用いるマクロセルＣ１とスモールセルＣ２を、ＣＡ（キャリアアグリゲーション）により同時に使用することができる。
【０１２３】
ユーザ端末２０と無線基地局１１との間は、相対的に低い周波数帯域（例えば、２ＧＨｚ）で帯域幅が狭いキャリア（既存キャリア、Legacy  carrier等と呼ばれる）を用いて通信が行なわれる。一方、ユーザ端末２０と無線基地局１２との間は、相対的に高い周波数帯域（例えば、３．５ＧＨｚ等）で帯域幅が広いキャリアが用いられてもよいし、無線基地局１１との間と同じキャリアが用いられてもよい。ユーザ端末２０と無線基地局１２間のキャリアタイプとしてニューキャリアタイプ（ＮＣＴ）を利用してもよい。無線基地局１１と無線基地局１２（又は、無線基地局１２間）は、有線接続（Optical  fiber、Ｘ２インタフェース等）又は無線接続されている。
【０１２４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。また、各無線基地局１２は、無線基地局１１を介して上位局装置に接続されてもよい。
【０１２５】
なお、無線基地局１１は、相対的に広いカバレッジを有する無線基地局であり、ｅＮｏｄｅＢ、マクロ基地局、送受信ポイントなどと呼ばれてもよい。また、無線基地局１２は、局所的なカバレッジを有する無線基地局であり、スモール基地局、ピコ基地局、フェムト基地局、Ｈｏｍｅ  ｅＮｏｄｅＢ、ＲＲＨ（Remote  Radio  Head）、マイクロ基地局、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【０１２６】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。
【０１２７】
ここで、図１２に示す無線通信システムで用いられる通信チャネルについて説明する。下りリンクの通信チャネルは、各ユーザ端末２０で共有されるＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ、拡張ＰＤＣＣＨ）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ／ＮＡＣＫが伝送される。また、拡張ＰＤＣＣＨ（ＥＰＤＣＣＨ）により、ＰＤＳＣＨ及びＰＵＳＣＨのスケジューリング情報等が伝送されてもよい。このＥＰＤＣＣＨは、ＰＤＳＣＨ（下り共有データチャネル）と周波数分割多重される。
【０１２８】
上りリンクの通信チャネルは、各ユーザ端末２０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（ＣＱＩ：Channel  Quality  Indicator）、送達確認信号（ＡＣＫ／ＮＡＣＫ）等が伝送される。なお、以下の説明では、無線基地局１０が少なくとも周波数分割されたペアバンドを用いてユーザ端末２０と通信を行う場合について説明する。
【０１２９】
図１３は、本実施の形態に係る無線基地局１０（無線基地局１１及び１２を含む）の全体構成図である。無線基地局１０は、ＭＩＭＯ伝送のための複数の送受信アンテナ１０１と、アンプ部１０２と、送受信部（送信部／受信部）１０３と、ベースバンド信号処理部１０４と、呼処理部１０５と、伝送路インタフェース１０６とを備えている。
【０１３０】
下りリンクにより無線基地局１０からユーザ端末２０に送信されるユーザデータは、上位局装置３０から伝送路インタフェース１０６を介してベースバンド信号処理部１０４に入力される。
【０１３１】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理が行われて各送受信部１０３に転送される。また、下りリンクの制御チャネルの信号に関しても、チャネル符号化や逆高速フーリエ変換等の送信処理が行われて、各送受信部１０３に転送される。
【０１３２】
また、ベースバンド信号処理部１０４は、上位レイヤシグナリング（例えば、ＲＲＣシグナリング、報知情報等）により、ユーザ端末２０に対して、当該セルにおける通信のための制御情報を通知する。
【０１３３】
各送受信部１０３は、ベースバンド信号処理部１０４からアンテナ毎にプリコーディングして出力されたベースバンド信号を無線周波数帯に変換する。アンプ部１０２は、周波数変換された無線周波数信号を増幅して送受信アンテナ１０１により送信する。
【０１３４】
一方、上りリンクによりユーザ端末２０から無線基地局１０に送信されるデータについては、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【０１３５】
ベースバンド信号処理部１０４では、入力されたベースバンド信号に含まれるユーザデータに対して、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インタフェース１０６を介して上位局装置３０に転送される。呼処理部１０５は、通信チャネルの設定や解放等の呼処理や、無線基地局１０の状態管理や、無線リソースの管理を行う。
【０１３６】
図１４は、本実施の形態に係る無線基地局１０（例えば、スモール基地局となる無線基地局１２）が有するベースバンド信号処理部１０４の主な機能構成図である。なお、図１４では、本実施の形態における特徴部分の機能ブロックを主に示しており、無線基地局１０は、無線通信に必要な他の機能ブロックも有しているものとする。
【０１３７】
図１４に示すように、無線基地局１０が有するベースバンド信号処理部１０４は、制御部（スケジューラ）３０１と、制御信号生成部３０２と、データ信号生成部３０３と、参照信号生成部３０４と、マッピング部３０５と、受信処理部３０６と、取得部３０７と、を含んで構成されている。
【０１３８】
制御部（スケジューラ）３０１は、ＰＤＳＣＨで送信される下りデータ信号、ＰＤＣＣＨ及び／又は拡張ＰＤＣＣＨ（ＥＰＤＣＣＨ）で伝送される下り制御信号、下り参照信号等のスケジューリングを制御する。また、スケジューラ３０１は、ＰＵＳＣＨで伝送される上りデータ、ＰＵＣＣＨ又はＰＵＳＣＨで伝送される上り制御情報、上り参照信号のスケジューリングの制御（割当て制御）も行う。上り伝送や下り伝送の割当て制御に関する情報は、下り制御信号（UL  grant、DL  assignment）を用いてユーザ端末に通知される。
【０１３９】
本実施の形態では、制御部３０１は、周波数分割されたペアバンドに対して、少なくとも一方のバンド（例えば、ＦＤＤのＵＬバンド）を用いてＵＬ伝送及びＤＬ伝送を行うように制御する。また、ＵＬバンドにおけるＵＬ伝送及びＤＬ伝送を制御する下り制御信号をペアとなる他方のバンド（例えば、ＦＤＤのＤＬバンド）又はプライマリセルを含む他のコンポーネントキャリアから送信するように制御する。
【０１４０】
また、制御部３０１は、ＵＬバンドにおけるＵＬ伝送とＤＬ伝送を、サブフレーム単位、又はサブフレームとサブバンドを組み合わせた単位で切り替えて制御する。また、制御部３０１は、ＤＬバンドをＤＬ伝送専用として用いるように制御してもよい。また、制御部３０１は、ＵＬバンドのＤＬ伝送に用いるリソースに仮想キャリアＩＤを付与し、ユーザ端末に通知するように制御することができる。
【０１４１】
また、制御部３０１は、上位局装置３０からの指示情報や取得部３０７から出力されるユーザ端末２０のフィードバック情報（例えば、ＣＳＩ、ＲＳＲＰ等）に基づいて、無線リソースの割当てや、ＦｌｅＤキャリアの設定を制御することができる。
【０１４２】
制御信号生成部３０２は、制御部３０１により割当てが決定された下り制御信号（ＰＤＣＣＨ信号及び／又はＥＰＤＣＣＨ信号）を生成する。具体的に、制御信号生成部３０２は、制御部３０１からの指示に基づいて、ＵＬバンドにおけるＵＬ伝送及びＤＬ伝送を制御する下り制御信号（UL  grant、DL  assignment）を生成する。
【０１４３】
データ信号生成部３０３は、制御部３０１によりリソースへの割当てが決定された下りデータ信号（ＰＤＳＣＨ信号）を生成する。データ信号生成部３０３により生成されるデータ信号には、各ユーザ端末２０からのＣＳＩ等に基づいて決定された符号化率、変調方式に従って符号化処理、変調処理が行われる。
【０１４４】
参照信号生成部３０４は、下り伝送で利用する参照信号を生成する。例えば、参照信号生成部３０４は、セル固有参照信号（ＣＲＳ）、復調用参照信号（ＤＭ−ＲＳ）、チャネル状態測定用参照信号（ＣＳＩ−ＲＳ）等を生成する。また、参照信号生成部３０４は、ＵＬバンドのＤＬ伝送に対しては、少なくともＤＭ−ＲＳとＣＳＩ−ＲＳを生成すればよく、ＣＲＳは生成しなくてもよい。
【０１４５】
マッピング部３０５は、制御部３０１からの指示に基づいて、ＤＬ信号のマッピングを制御する。また、マッピング部３０５は、ＵＬバンド（ＦｌｅＤ  ＤＬリソース）に対するマッピング構成を、ＤＬバンドのＤＬリソースと異なるように制御することができる。例えば、マッピング部３０５は、ＦｌｅＤ  ＤＬリソースに対して、ＤＬ信号（ＣＳＩ−ＲＳ、ＤＭ−ＲＳ、ＰＤＳＣＨ信号）の配置位置を、ＤＬバンドにおける配置位置から時間軸方向に数シンボル移動して（オフセットさせて）配置することができる。
【０１４６】
受信処理部３０６は、ユーザ端末から送信されるＵＬ信号に対して受信処理（例えば、復号、復調等）を行う。受信処理部３０６で処理した情報は制御部３０１に出力される。また、受信処理部３０６は、ユーザ端末から送信される測定結果（ＲＳＲＰ、ＣＳＩ等のメジャメントレポート）を検出した場合には、取得部３０７へ出力する。
【０１４７】
取得部３０７は、ユーザ端末がＦｌｅＤ  ＤＬリソース（ＵＬバンド）やＤＬバンドで測定した測定結果を取得する。また、取得部３０７は、ユーザ端末からフィードバックされた測定結果（メジャメントレポート）を制御部３０１に出力し、制御部３０１は、当該測定結果に基づいてユーザ端末にＦｌｅＤキャリアの設定を行うことができる。
【０１４８】
図１５は、本実施の形態に係るユーザ端末２０の全体構成図である。ユーザ端末２０は、ＭＩＭＯ伝送のための複数の送受信アンテナ２０１と、アンプ部２０２と、送受信部（送信部／受信部）２０３と、ベースバンド信号処理部２０４と、アプリケーション部２０５とを備えている。送受信部２０３は、周波数分割されたペアバンドのうち少なくとも一方のバンド（例えば、ＦＤＤのＵＬバンド）を用いてＵＬ伝送及びＤＬ伝送を行う。
【０１４９】
下りリンクのデータについては、複数の送受信アンテナ２０１で受信された無線周波数信号がそれぞれアンプ部２０２で増幅され、送受信部２０３で周波数変換されてベースバンド信号に変換される。このベースバンド信号は、ベースバンド信号処理部２０４でＦＦＴ処理や、誤り訂正復号、再送制御（ＨＡＲＱ−ＡＣＫ）の受信処理等がなされる。この下りリンクのデータの内、下りリンクのユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【０１５０】
一方、上りリンクのユーザデータについては、アプリケーション部２０５からベースバンド信号処理部２０４に入力される。ベースバンド信号処理部２０４では、再送制御（ＨＡＲＱ−ＡＣＫ）の送信処理や、チャネル符号化、プリコーディング、ＤＦＴ処理、ＩＦＦＴ処理等が行われて各送受信部２０３に転送される。送受信部２０３は、ベースバンド信号処理部２０４から出力されたベースバンド信号を無線周波数帯に変換する。その後、アンプ部２０２は、周波数変換された無線周波数信号を増幅して送受信アンテナ２０１により送信する。
【０１５１】
図１６は、ユーザ端末２０が有するベースバンド信号処理部２０４の主な機能構成図である。なお、図１６においては、本実施の形態における特徴部分の機能ブロックを主に示しており、ユーザ端末２０は、無線通信に必要な他の機能ブロックも有しているものとする。
【０１５２】
図１６に示すように、ユーザ端末２０が有するベースバンド信号処理部２０４は、ＤＬ信号処理部４０１と、測定部４０２と、判定部４０３と、フィードバック制御部４０４と、ＵＬ信号生成部４０５と、マッピング部４０６と、を少なくとも有している。
【０１５３】
ＤＬ信号処理部４０１は、下り制御チャネルで送信された下り制御信号の復調、復号処理等を行い、スケジューリング情報（上りリソースへの割当て情報等）をフィードバック制御部４０４へ出力する。また、ＤＬ信号処理部４０１は、下り共有チャネル（ＰＤＳＣＨ）で送信された下りデータ信号を復号し、判定部４０３へ出力する。
【０１５４】
測定部４０２は、ＤＬ信号（例えば、下り参照信号）を用いて受信電力（ＲＳＲＰ）やチャネル状態（ＣＳＩ）について測定する。この際、測定部４０２は、ＦｌｅＤキャリア（ＤＬ）の低送信電力を考慮して測定を行うことができる。例えば、測定部４０２は、ＦｌｅＤキャリア（ＵＬバンド）に設定される検出／測定用参照信号を用いてメジャメントを行うことができる。また、測定部４０２は、ＤＬキャリアのＤＬ送信電力とＦｌｅＤキャリアのＤＬ送信電力の差に基づいて、ＦｌｅＤキャリアで送信されるＤＬ信号に対する受信電力（ＲＳＲＰ）等を推定することができる。
【０１５５】
判定部４０３は、ＤＬ信号処理部４０１の復号結果に基づいて、各ＤＬサブフレームに対する再送制御判定（送達確認（ＡＣＫ／ＮＡＣＫ））を行う。判定部４０３における送達確認の判断結果は、フィードバック制御部４０４に出力される。
【０１５６】
フィードバック制御部４０４は、ＤＬ信号処理部４０１から出力されるスケジューリング情報や判定部４０３から出力される再送制御判定結果に基づいて、送達確認信号（ＡＣＫ／ＮＡＣＫ）の生成、ＰＵＣＣＨリソースへの割当て、フィードバックタイミング等を制御する。また、フィードバック制御部４０４は、測定部４０２から出力される測定結果に基づいて、メジャメントレポートの報告を制御する。
【０１５７】
また、フィードバック制御部４０４は、上述したようにＦｌｅＤキャリアにおけるサブフレーム構成や送信する信号種別に応じてＵＬ送信を適宜制御することができる。
【０１５８】
ＵＬ信号生成部４０５は、フィードバック制御部４０４からの指示に基づいて上り制御信号（送達確認信号やチャネル状態情報（ＣＳＩ）等のフィードバック信号）を生成する。また、ＵＬ信号生成部４０５は、フィードバック制御部４０４からの指示に基づいて上りデータ信号を生成する。
【０１５９】
マッピング部４０６は、フィードバック制御部４０４からの指示に基づいて、上り制御信号（送達確認信号等）と上りデータ信号の無線リソース（ＰＵＣＣＨ、ＰＵＳＣＨ）への割当てを制御する。
【０１６０】
このように、周波数分割されるペアバンドの一方を用いてＵＬ伝送及びＤＬ伝送を行うと共に、ペアとなる他方のバンドからＵＬ伝送及びＤＬ伝送のスケジューリングを制御する制御信号を送信する。これにより、周波数分割されたペアバンドを用いて通信を行う場合であっても、無線リソースを有効に利用することができる。
【０１６１】
なお、本実施の形態において、無線基地局及びユーザ端末は、通信インタフェース、プロセッサ、メモリ、ディスプレイ、入力キーを含むハードウェアを有しており、メモリには、プロセッサによって実行されるソフトウェアモジュールが記憶されている。また、無線基地局及びユーザ端末の機能構成は、上述のハードウェアによって実現されてもよいし、プロセッサによって実行されるソフトウェアモジュールによって実現されてもよいし、両者の組み合わせによって実現されてもよい。
【０１６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【０１６３】
本出願は、２０１４年５月１５日出願の特願２０１４−１０１５２９に基づく。この内容は、全てここに含めておく。
【図１】
2015174328.tif 000003
【図２】
2015174328.tif 000004
【図３】
2015174328.tif 000005
【図４】
2015174328.tif 000006
【図５】
2015174328.tif 000007
【図６】
2015174328.tif 000008
【図７】
2015174328.tif 000009
【図８】
2015174328.tif 000010
【図９】
2015174328.tif 000011
【図１０】
2015174328.tif 000012
【図１１】
2015174328.tif 000013
【図１２】
2015174328.tif 000014
【図１３】
2015174328.tif 000015
【図１４】
2015174328.tif 000016
【図１５】
2015174328.tif 000017
【図１６】
2015174328.tif 000018
【国際調査報告】
2015174328.tif 000019
2015174328.tif 000020